(57)【要約】【課題】音響特性の切替制御の精度を向上させること。【解決手段】本実施形態に係る放送受信装置は、受信部と、音響制御部と、判定部とを備える。受信部は、放送内容が同一のアナログ放送の信号およびデジタル放送の信号を受信する。音響制御部は、デジタル放送からアナログ放送へ切り替える場合、受信部によって受信されるアナログ放送の信号の受信強度に基づいてデジタル放送の音響特性をアナログ放送の音響特性へ徐々に近づけて切り替える切替制御を行う。判定部は、音響制御部によって切替制御が開始された場合に、受信部によって受信されたデジタル放送の信号の受信状態に基づいて音響制御部による当該切替制御を継続するか否かを判定する。【選択図】図１
2018064241.tif 000002
【特許請求の範囲】
【請求項１】
放送内容が同一のアナログ放送の信号およびデジタル放送の信号を受信する受信部と、
前記デジタル放送から前記アナログ放送へ切り替える場合、前記受信部によって受信される前記アナログ放送の信号の受信強度に基づいて前記デジタル放送の音響特性を前記アナログ放送の音響特性へ徐々に近づけて切り替える切替制御を行う音響制御部と、
前記音響制御部によって前記切替制御が開始された場合に、前記受信部によって受信された前記デジタル放送の信号の受信状態に基づいて前記音響制御部による当該切替制御を継続するか否かを判定する判定部と
を備えることを特徴とする放送受信装置。
【請求項２】
前記音響制御部は、
前記アナログ放送の信号の前記受信強度が所定の開始閾値以下となった場合に、その後の前記受信強度によらず、前記デジタル放送の音響特性から前記アナログ放送の音響特性へ所定の比率で近づける前記切替制御を行うこと
を特徴とする請求項１に記載の放送受信装置。
【請求項３】
前記判定部は、
前記音響制御部によって前記デジタル放送の音響特性から前記アナログ放送の音響特性へ前記切替制御が開始された後、前記デジタル放送の信号の前記受信状態が所定時間内に回復した場合、当該切替制御を継続しないと判定する一方、前記受信状態が当該所定時間内に回復しなかった場合に、当該切替制御を継続すると判定すること
を特徴とする請求項１または２に記載の放送受信装置。
【請求項４】
前記デジタル放送の信号の前記受信状態の履歴に基づいて前記デジタル放送のバッファ継続時間を推定する推定部をさらに備え、
前記判定部は、
前記音響制御部が前記デジタル放送の音響特性から前記アナログ放送の音響特性へ前記切替制御を開始した後に、前記推定部によって推定された前記バッファ継続時間が所定の閾値時間を超えた場合、当該切替制御を継続しないと判定し、当該バッファ継続時間が前記閾値時間以内であれば、当該切替制御を継続すると判定すること
を特徴とする請求項１、２または３に記載の放送受信装置。
【請求項５】
前記音響制御部は、
前記デジタル放送の音響特性から前記アナログ放送の音響特性へ前記切替制御を行う場合に、前記アナログ放送の音響特性から前記デジタル放送の音響特性へ前記切替制御を行う場合よりも長い時間をかけて前記切替制御を行うこと
を特徴とする請求項１〜４のいずれか一つに記載の放送受信装置。
【請求項６】
放送内容が同一のアナログ放送の信号およびデジタル放送の信号を受信する受信工程と、
前記デジタル放送から前記アナログ放送へ切り替える場合、前記受信工程によって受信される前記アナログ放送の信号の受信強度に基づいて前記デジタル放送の音響特性を前記アナログ放送の音響特性へ徐々に近づけて切り替える切替制御を行う音響制御工程と、
前記音響制御工程によって前記切替制御が開始された場合に、前記受信工程によって受信された前記デジタル放送の信号の受信状態に基づいて前記音響制御工程による当該切替制御を継続するか否かを判定する判定工程と
を含むことを特徴とする放送受信方法。
【発明の詳細な説明】
【技術分野】
【０００１】
本発明は、放送受信装置および放送受信方法に関する。
【背景技術】
【０００２】
従来、ＩＢＯＣ（In  Band  On  Channel）方式によって放送される放送内容が同一のデジタル放送とアナログ放送とを同時に受信する放送受信装置がある。デジタル放送とアナログ放送とは、放送内容が同一であっても音響特性に違いがある。また、放送受信装置では、デジタル放送の受信状態が悪化した場合に、デジタル放送からアナログ放送へ放送の切り替えを行う。
【０００３】
このため、放送受信装置として、デジタル放送またはアナログ放送のいずれかの放送から他方の放送へ切り替える場合に、一方の放送の音響特性を他方の放送の音響特性に徐々に近づけるものがある（例えば、特許文献１参照）。
【先行技術文献】
【特許文献】
【０００４】
【特許文献１】特開２０１２―４７５０号公報
【発明の概要】
【発明が解決しようとする課題】
【０００５】
しかしながら、従来の技術では、一方の放送の音響特性を他方の放送の音響特性へ近づける音響特性の切替制御が不十分であった。
【０００６】
本発明は、上記に鑑みてなされたものであって、音響特性の切替制御の精度を向上させることができる放送受信装置および放送受信方法を提供することを目的とする。
【０００７】
上述した課題を解決し、目的を達成するために、本発明は、放送受信装置において、受信部と、音響制御部と、判定部とを備える。受信部は、放送内容が同一のアナログ放送の信号およびデジタル放送の信号を受信する。音響制御部は、前記デジタル放送から前記アナログ放送へ切り替える場合、前記受信部によって受信される前記アナログ放送の信号の受信強度に基づいて前記デジタル放送の音響特性を前記アナログ放送の音響特性へ徐々に近づけて切り替える切替制御を行う。判定部は、前記音響制御部によって前記切替制御が開始された場合に、前記受信部によって受信された前記デジタル放送の信号の受信状態に基づいて前記音響制御部による当該切替制御を継続するか否かを判定する。
【発明の効果】
【０００８】
本発明によれば、音響特性の切替制御の精度を向上させることが可能な放送受信装置および放送受信方法を提供することができる。
【図面の簡単な説明】
【０００９】
【図１】図１は、放送受信方法の概要を示す図である。
【図２】図２は、放送受信装置のブロック図である。
【図３Ａ】図３Ａは、デジタル放送の受信状態とバッファ継続時間の相関を示す図である。
【図３Ｂ】図３Ｂは、推定部による推定処理を示す模式図である。
【図４】図４は、放送受信装置による切替動作を示す図である。
【図５】図５は、放送受信装置が実行する処理手順を示すフローチャートである。
【発明を実施するための形態】
【００１０】
以下、添付図面を参照して、本願の開示する放送受信装置および放送受信方法を詳細に説明する。なお、以下に示す実施形態によりこの発明が限定されるものではない。
【００１１】
また、以下では、ＩＢＯＣ（In  Band  On  Channel）方式で放送される同一の放送内容を含むデジタル放送とアナログ放送とを同時に受信する放送受信装置および放送受信方法について説明する。
【００１２】
まず、実施形態に係る放送受信方法の概要について図１を用いて説明する。図１は、放送受信方法の概要を示す図である。かかる放送受信方法は、図２にて後述する放送受信装置によって実行される。
【００１３】
ここでは、図１のＡに示すように、放送受信装置がデジタル放送を出力中に、受信するアナログ放送の信号（以下、アナログ放送信号という）の受信強度（以下、Ｓレベルという）が、時刻ｔ１〜ｔ３の期間に低下したものとする。
【００１４】
かかる場合に、図１のＢに示すように、デジタル放送の信号（以下、デジタル放送信号という）の受信状態は、アナログ放送信号のＳレベルが低下し始める時刻ｔ１から所定時間遅れた時刻ｔ２から低下し始める。
【００１５】
このように、アナログ放送信号のＳレベルは、デジタル放送信号の受信状態の変化に先立って変化するものである。なお、実施形態に係る放送受信方法では、受信状態として、例えば、デジタル放送信号のＣ／Ｎ比（Carrier  to  Noise  ratio）を検知する。
【００１６】
また、上記したように、ＩＢＯＣでは、デジタル放送とアナログ放送との内容が同一であっても、音響特性に違いがある。具体的には、デジタル放送の音響特性は、アナログ放送の音響特性に比べて広音域である。
【００１７】
このため、デジタル放送をアナログ放送に優先して出力することにしている。しかしながら、デジタル放送信号の受信状態が悪化し、出力中の放送がデジタル放送からアナログ放送へ切り替わる場合がある。
【００１８】
この場合に、切り替え後のアナログ放送では、切り替え前のデジタル放送で出力されていた高音領域の音が出力されなくなる。このような音響特性の変化は、ユーザに聴覚上の違和感を与える場合がある。
【００１９】
このため、デジタル放送からアナログ放送へ放送の切り替えを行う場合に、デジタル放送の音響特性からアナログ放送の音響特性へ徐々に近づけて切り替える切替制御が行われる。
【００２０】
かかる切替制御は、できるだけ長い時間をかけて行うことが好ましい。これは、長い時間をかけて切替制御を行うことで、短い時間で切替制御を行う場合よりも、緩やかに音響特性を変化させることができるためである。
【００２１】
これらのことから、上記した従来の放送受信装置では、デジタル放送信号の受信状態に先立って変化するアナログ放送信号のＳレベルに基づいて音響特性の切替制御を行うことで、切替制御にかける時間を長くするようにしている。
【００２２】
しかしながら、従来の放送受信装置では、アナログ放送信号のＳレベルに追従して音響特性の切替制御を行っていたため、音響特性の切替制御が不十分だった。
【００２３】
具体的には、同図のＡに示すように、アナログ放送信号のＳレベルが、短い期間で回復した場合、同図のＤの時刻ｔ３〜ｔ４の期間に破線で示すように、アナログ放送信号のＳレベルの回復に追従してデジタル放送の音響特性へ近づける切替制御が行われる。
【００２４】
その後、例えば、デジタル放送信号の受信状態の悪化により、時刻ｔ４で、デジタル放送からアナログ放送へ放送が切り替わると、急激に音響特性が変化してしまうことになる。
【００２５】
具体的には、音響特性が、時刻ｔ４で同図のＤに示す幅ｄ分だけ急激に変化してしまう。したがって、ユーザに聴覚上の違和感を与えてしまうことになる。
【００２６】
このように、従来の放送受信装置では、音響特性の制御が十分ではなく、放送の切り替わりの前後で、音響特性が急激に切り替わる場合がある。これは、アナログ放送信号のＳレベルのみに基づいて音響特性の切替制御を行っていたためである。
【００２７】
そこで、実施形態に係る放送受信方法では、アナログ信号のＳレベルに加えて、デジタル放送信号の受信状態に基づいて音響特性の切替制御を行うことで、音響特性の切替制御の精度を向上させることとした。
【００２８】
具体的には、実施形態に係る放送受信方法では、まず、従来と同様に、アナログ放送信号のＳレベルに基づいて時刻ｔ１で切替制御を開始する。その後、デジタル放送信号の受信状態に基づいて切替制御を継続するか否かを判定する。
【００２９】
具体的には、実施形態に係る放送受信方法では、同図のＢの時刻ｔ３以降に示すように、デジタル放送信号の受信状態が、例えば、受信状態閾値ＴＨより低下した場合に、切替制御を継続すると判定する。
【００３０】
ここで、受信状態閾値ＴＨとは、例えば、デジタル放送信号の受信状態が悪化し、放送受信装置でデジタル放送信号をデコードできなくなる受信状態の閾値を示す。したがって、デジタル放送の受信状態が受信状態閾値ＴＨを下回った場合、放送受信装置は、近い将来デジタル放送を出力できなくなる。
【００３１】
つまり、実施形態に係る放送受信方法では、デジタル放送信号の受信状態に基づいてデジタル放送からアナログ放送への放送の切り替えの必要性を予測し、アナログ放送への切り替えが必要と予測した場合に、上記した切替制御を継続すると判定する。
【００３２】
その後、実施形態に係る放送受信装置では、判定結果に応じて切替制御を継続し、実際に放送が切り替わる時刻ｔ４（図１のＣ参照）までに音響特性の切替制御を完了させる。これにより、図１のＤに実線で示すように、長い期間をかけて緩やかに切替制御を行うことができる。
【００３３】
このように、実施形態に係る放送受信装置では、アナログ放送のＳレベルに基づいてデジタル放送の音響特性からアナログ放送の音響特性へ切替制御を開始する。これにより、デジタル放送信号の受信状態が悪化するよりも前に、切替制御を開始することができる。
【００３４】
また、実施形態に係る放送受信方法では、切替制御を開始した場合、アナログ放送のＳレベルによらず、デジタル放送信号の受信状態に基づいてかかる切替制御を継続するか否かを判定する。これにより、デジタル放送からアナログ放送へ放送が切り替わる場合に、音響特性の急激な変化を抑制することができる。
【００３５】
したがって、本実施形態に係る放送受信方法によれば、音響特性の切替制御の精度を向上させることができる。
【００３６】
なお、上述した例では、デジタル放送の音響特性からアナログ放送の音響特性へ切替制御を行う場合について説明したが、アナログ放送の音響特性からデジタル放送の音響特性へ切替制御を行う場合については、図４を用いて後述する。
【００３７】
また、上述した例では、デジタル放送信号の受信状態が受信状態閾値ＴＨ以下となった場合に切替制御を継続すると判定する場合について説明したが、これに限定されるものではない。この点の詳細についても図４を用いて後述する。
【００３８】
次に、上記した放送受信方法を実行する放送受信装置１の構成について図２を用いて説明する。図２は、本実施例に係る放送受信装置１を示すブロック図である。
【００３９】
図２に示すように、本実施例に係る放送受信装置１は、受信部１１と、アナログ／デジタル変換器（以下、「ＡＤＣ」という）１２と、バンドパスフィルタ（以下、「ＢＰＦ」という）１３と、アナログ復調部１４と、ローパスフィルタ（以下、「ＬＰＦ」という）１５とを備えている。
【００４０】
さらに、放送受信装置１は、ブレンド部１６と、音響制御部１７と、デジタル／アナログ変換器（以下、「ＤＡＣ」という）１８と、受信電界強度検知部（以下、「Ｓレベル検知部」という）１９と、デジタル復調部２０と、推定部２１と、判定部２２とを備えている。
【００４１】
受信部１１は、ＩＢＯＣ方式により所定の周波数帯域内で放送されている放送内容が同一のデジタル放送およびアナログ放送をアンテナ３０によって受信する。
【００４２】
具体的には、受信部１１は、図示しない操作部によって選択された放送チャンネルの周波数帯域で放送されている放送信号をアンテナ３０によって受信する。
【００４３】
そして、受信部１１は、受信した放送信号からデジタル放送で使用されているデジタル放送信号と、アナログ放送で使用されているアナログ放送信号とを取得し、デジタル放送信号およびアナログ放送信号の周波数を中間周波数へ変換してＡＤＣ１２へ出力する。
【００４４】
ＡＤＣ１２は、受信部１１から入力されるアナログのデジタル放送信号およびアナログ放送信号をデジタルのデジタル放送信号およびアナログ放送信号へ変換する。そして、ＡＤＣ１２は、変換後のデジタル放送信号をデジタル復調部２０へ出力し、変換後のアナログ放送信号をＢＰＦ１３へ出力する。
【００４５】
デジタル復調部２０は、ＡＤＣ１２から入力されるデジタル放送信号を復調する。デジタル復調部２０は、ＯＦＤＭ（Orthogonal  Frequency-Division  Multiplexing）変調されているデジタル放送信号をＯＦＤＭ復調し、復調後のデジタル放送信号へ復調する。
【００４６】
また、デジタル復調部２０は、ＯＦＤＭ復調したデジタル放送信号に対して符号の誤り検出を行ったうえで誤り訂正を行う。そして、デジタル復調部２０は、誤り訂正したデジタル放送信号をブレンド部１６へ出力する。
【００４７】
また、デジタル復調部２０は、ＯＦＤＭ復調したデジタル放送信号の受信状態を示すＣ／Ｎ比（Carrier  to  Noise  ratio）を算出し、算出結果を推定部２１へ出力する。
【００４８】
なお、デジタル復調部２０は、デジタル放送信号の受信状態として、ビットエラーレートや、変調誤差比（いわゆる、ＭＥＲ；Modulation  Error  Ratio）を算出することにしてもよい。
【００４９】
推定部２１は、デジタル復調部２０から入力されるＣ／Ｎ比の履歴に基づいてデジタル放送のバッファ継続時間を推定し、推定したバッファ継続時間に基づいてデジタル放送からアナログ放送へ放送の切り替えの必要性を予測する。
【００５０】
また、推定部２１は、予測結果を判定部２２に出力する。ここで、バッファ継続時間とは、放送受信装置１がデジタル放送のバッファを使い切るまでに要する時間である。
【００５１】
バッファ継続時間が短いほど、近い将来デジタル放送からアナログ放送へ放送が切り替わる可能性が高いことになる。このため、推定部２１は、バッファ継続時間が後述の閾値時間ＴＨｃ以下となった場合に、デジタル放送からアナログ放送への放送の切り替えが必要であると予測する。
【００５２】
なお、推定部２１は、所定周期（例えば、１００ｍｓｅｃ）ごとにバッファ継続時間を推定するものとする。また、推定部２１による推定処理の詳細については、図３Ａおよび図３Ｂを用いて後述する。
【００５３】
なお、実施形態に係る放送受信装置１では、推定部２１がＣ／Ｎ比に基づいてバッファ継続時間を推定する場合について説明するが、推定部２１は、バッファ継続時間の推定にビットエラーレートや、変調誤差比を用いることにしてもよい。
【００５４】
判定部２２は、推定部２１から入力される予測結果に基づいて音響制御部１７による切替制御を継続するか否かを判定し、判定結果をブレンド部１６および音響制御部１７へ出力する。
【００５５】
具体的には、音響制御部１７がデジタル放送の音響特性からアナログ放送の音響特性へ切替制御を開始した後に、推定部２１がデジタル放送からアナログ放送への放送の切り替えが必要であると予測した場合に、判定部２２は、かかる切替制御を継続すると判定する。
【００５６】
また、推定部２１がデジタル放送からアナログ放送へ切り替えが必要でないと予測した場合、音響制御部１７にデジタル放送の音響特性からアナログ放送の音響特性への切替制御を中断させて、デジタル放送の音響特性へ回復させる指示を出力する。なお、判定部２２による判定処理の詳細については、図４を用いて説明する。
【００５７】
ＢＰＦ１３は、ＡＤＣ１２から入力されるアナログ放送信号からアナログ放送で使用されていない高周波成分および低周波成分を除去してＳレベル検知部１９およびアナログ復調部１４へ出力する。
【００５８】
Ｓレベル検知部１９は、ＢＰＦ１３から入力されるアナログ放送信号のＳレベルを検知し、検知結果をブレンド部１６および音響制御部１７へ出力する。また、アナログ復調部１４は、周波数変調または振幅変調されているアナログ放送信号を復調してＬＰＦ１５へ出力する。
【００５９】
ＬＰＦ１５は、アナログ復調部１４から入力されるアナログ放送信号から雑音となる高周波成分を除去し、ブレンド部１６へ出力する。ブレンド部１６は、デジタル復調部２０から入力されるデジタル放送信号とＬＰＦ１５から入力されるアナログ放送信号とを任意の混合比で混合（ブレンド）して音響制御部１７へ出力する。
【００６０】
例えば、ブレンド部１６は、デジタル放送信号の出力レベルを所定の変数α倍に増幅し、アナログ放送信号の出力レベルを１−α倍に増幅する。そして、ブレンド部１６は、増幅後のデジタル放送信号およびアナログ放送信号をブレンド処理して音響制御部１７へ出力する。なお、変数αは、０≦α≦１であるものとする。
【００６１】
そして、ブレンド部１６は、デジタル放送信号のＣ／Ｎ比が後述のブレンド閾値ＴＨｄ以上である場合、すなわち、デジタル放送信号の受信状態が良好な場合、α＝１と設定することで、デジタル放送信号のみを出力する。
【００６２】
その後、ブレンド部１６は、デジタル放送信号のみを出力中に、デジタル放送信号のＣ／Ｎ比がブレンド閾値ＴＨｄ以下となった場合、αを１から０まで所定時間をかけて低減させ、アナログ放送へ漸次的に出力を切り替える。
【００６３】
また、ブレンド部１６は、アナログ放送信号のみを出力中にＳレベル検知部１９から入力されるＳレベルが上昇し、ブレンド閾値ＴＨｄより高くなった場合、αを０から１まで所定時間をかけて増大させて、デジタル放送へ漸次的に出力を切り替える。
【００６４】
音響制御部１７は、ブレンド部１６から入力されるデジタル放送信号およびアナログ放送信号の音響特性を変更してＤＡＣ１８へ出力する。
【００６５】
音響制御部１７は、例えば、ＤＳＰ（Digital  Signal  Processor）により構成しており、デジタル放送信号およびアナログ放送信号の周波数帯域を変更する帯域フィルタを含む。
【００６６】
ここで、音響特性とは、デジタル放送信号やアナログ放送信号の周波数と出力レベルとの関係を示す周波数特性のことである。以下、デジタル放送信号の音響特性をデジタルＦ特といい、アナログ放送信号の音響特性をアナログＦ特という。
【００６７】
そして、音響制御部１７は、帯域フィルタのカットオフ周波数を切り替えることで、デジタルＦ特やアナログＦ特を切り替える。
【００６８】
具体的には、音響制御部１７は、デジタル放送信号のみを出力中にＳレベル検知部１９から入力されるＳレベルが開始閾値ＴＨａ以下となった時点で、デジタルＦ特をアナログＦ特へ近づける切替制御を開始する。
【００６９】
ここで、開始閾値ＴＨａは、例えば、デジタル放送信号の受信状態が劣化し始めるときのアナログ放送のＳレベルよりも所定レベル高いＳレベルである。したがって、音響制御部１７は、デジタル放送信号のＳレベルが低下するよりも前に切替制御を開始することができる。なお、かかる開始閾値ＴＨａは、予めシュミレーションまたは統計によって算出しておくものとする。
【００７０】
その後、音響制御部１７は、所定の比率でデジタルＦ特をアナログＦ特へ近づける切替制御を行う。ここで、所定の比率とは、デジタル放送からアナログ放送へ切り替わるまでの期間にデジタルＦ特をアナログＦ特へ近づける切替制御が完了するように設定された値である。
【００７１】
このように、音響制御部１７は、切替制御を開始した後は、アナログ放送信号のＳレベルによらず、所定の比率でかかる切替制御を行う。このため、従来のようにアナログ放送信号のＳレベルに追従して切替制御を行うことはない。
【００７２】
したがって、デジタル放送からアナログ放送へ放送が切り替わる場合に、従来のような音響特性の急激な切り替わりを抑制することができる。なお、音響制御部１７によるデジタルＦ特の切替手順については、図４を用いて放送受信装置１の動作を説明する際に、詳述する。
【００７３】
ＤＡＣ１８は、音響制御部１７から入力されるデジタルのデジタル放送信号およびアナログ放送信号をアナログのデジタル放送信号およびアナログ放送信号へ変換して、スピーカ（図示略）へ出力する。
【００７４】
次に、図３Ａおよび図３Ｂを用いて推定部２１による推定処理について説明する。図３Ａは、デジタル放送信号のＣ／Ｎ比とバッファ継続時間との相関を示す図である。図３Ｂは、推定部２１による推定処理を示す模式図である。
【００７５】
ここでは、図３Ａに示すＣ／Ｎ閾値ＴＨ−ｈｉｇｈ＞Ｃ／Ｎ閾値ＴＨ−ｍｉｄｄｌｅ＞Ｃ／Ｎ閾値ＴＨ−ｌｏｗの順にデジタル放送の受信状態が良好である状態であることを示すものとする。
【００７６】
また、図３Ａに示す定数は、定数Ａ＿ａ＞定数Ａ＿ｂおよび定数Ａ＿ｄ＞定数Ａ＿ｃの関係を満たすものとする。また、同図に示すＣ／Ｎ閾値と、定数との相関は、統計やシュミレーション等によって予め最適な値を導出しておく。
【００７７】
推定部２１は、図３Ａに示す相関テーブルを参照して現在のバッファ継続時間にデジタル放送信号のＣ／Ｎ比に応じて異なる定数を加算または減算することで最新のバッファ継続時間を推定する。換言すると、推定部２１は、デジタル放送信号のＣ／Ｎ比の履歴に基づいて最新のバッファ継続時間を推定する。
【００７８】
なお、推定部２１が、バッファ継続時間を推定する際に参照する情報は、図３Ａに示す相関テーブルに限定されず、デジタル放送の受信状態とバッファ継続時間の対応関係を示す関数であってもよい。
【００７９】
推定部２１は、デジタル復調部２０から入力されるデジタル放送信号のＣ／Ｎ比が、Ｃ／Ｎ閾値ＴＨ−ｈｉｇｈ以上である場合、現在のバッファ継続時間に定数Ａ＿ａを加算する。
【００８０】
また、推定部２１は、Ｃ／Ｎ比が、Ｃ／Ｎ閾値ＴＨ−ｈｉｇｈ未満かつＣ／Ｎ閾値ＴＨ−ｍｉｄｄｌｅ以上である場合、現在のバッファ継続時間に定数Ａ＿ｂを加算する。
【００８１】
また、推定部２１は、Ｃ／Ｎ比がＣ／Ｎ閾値ＴＨ−ｍｉｄｄｌｅ未満かつＣ／Ｎ閾値ＴＨ−ｌｏｗ以上である場合、現在のバッファ継続時間に定数Ａ＿ｃを減算する。さらに、Ｃ／Ｎ比が、Ｃ／Ｎ閾値ＴＨ−ｌｏｗ未満である場合に、推定部２１は、現在のバッファ継続時間に定数Ａ＿ｄを減算する。
【００８２】
このように、推定部２１は、デジタル放送信号のＣ／Ｎ比が良好であれば、バッファ継続時間に定数を加算し、Ｃ／Ｎ比が劣化状態であれば、定数を減算していく。
【００８３】
換言すると、実施形態に係る放送受信装置１は、受信状態が良好であれば、デジタル放送を出力しても保有するデジタル放送のバッファ量は増えるため、バッファ継続時間を増加させる。
【００８４】
また、受信状態が悪化した状態では、放送受信装置１は、保有しているデジタル放送のバッファを放出してデジタル放送を出力するため、バッファ継続時間を減少させる。
【００８５】
なお、推定部２１は、加算や乗算に限らず、乗算、除算あるいは他の関数を用いてバッファ継続時間を推定することにしてもよい。
【００８６】
そして、推定部２１は、推定した最新のバッファ継続時間に基づいてデジタル放送からアナログ放送への放送の切り替えの必要性を予測する。具体的には、推定部２１は、バッファ継続時間が閾値時間ＴＨｃ以下となった場合に、デジタル放送からアナログ放送へ放送の切り替えが必要であると予測する。
【００８７】
なお、閾値時間ＴＨｃは、例えば、０．５秒であるが、これに限定するものではなく、統計やシュミレーション等によって最適な値を導出することとする。
【００８８】
このように、推定部２１は、バッファ継続時間に基づいて放送の切り替えの必要性を予測するため、デジタル放送のＣ／Ｎ比の悪化が瞬間的なものであれば、放送の切り替えが必要ないと予測することになる。
【００８９】
これは、デジタル放送のＣ／Ｎ比の悪化が瞬間的なものであればデジタル放送信号は、誤り訂正によって復元することができるためである。具体的には、図３Ｂに示すように、デジタル放送信号のＣ／Ｎ比が所定時間Ｔ内に回復した場合、Ｃ／Ｎ比が低下した期間のデジタル放送信号は、デジタル復調部２０によって復元される。
【００９０】
このため、デジタル放送からアナログ放送への放送の切り替えの必要性は低い。一方、デジタル放送信号のＣ／Ｎ比が低下する期間が誤り訂正によって復元可能な所定時間Ｔを超えた場合、デジタル放送信号は復元されない。このため、デジタル放送からアナログ放送への放送の切り替えの必要性は高くなる。
【００９１】
このように、推定部２１は、バッファ継続時間に基づいて放送の切り替えの必要性を予測するため、デジタル放送からアナログ放送への放送の切り替わりを精度よく予測することができる。
【００９２】
そして、判定部２２は、かかる予測に基づいて判定するため、Ｃ／Ｎ比が低下する期間が所定時間Ｔ内であれば、音響制御部１７によるデジタルＦ特からアナログＦ特への切替制御を継続しないと判定する。
【００９３】
したがって、音響制御部１７によって不必要にデジタルＦ特がアナログＦ特へ切り替えられるのを防ぐことができる。なお、判定部２２は、デジタル復調部２０から推定部２１を経由せずに直接Ｃ／Ｎ比を取得し、かかるＣ／Ｎ比が劣化する時間が所定時間Ｔ内であれば、デジタル放送の音響特性からアナログ放送の音響特性へ切り替える切替制御を継続しないと判定することにしてもよい。
【００９４】
次に、図４を用いて本実施形態に係る放送受信装置１がアナログ放送およびデジタル放送の切替を行う動作について説明する。図４は、放送受信装置１による切替動作を示す図である。
【００９５】
図４のＡは、Ｓレベル検知部１９によって検知されたアナログ放送信号のＳレベルの推移を示しており、図４のＢは、デジタル復調部２０によって算出されたデジタル放送信号のＣ／Ｎ比の推移を示している。
【００９６】
また、図４のＣは、推定部２１によって推定されたバッファ継続時間を示し、図４のＤは、推定部２１によるデジタル放送とアナログ放送との放送の切り替わりの予測結果を示している。
【００９７】
また、図４のＥは、音響制御部１７によるデジタルＦ特の切替制御の推移を示し、図４のＦは、ブレンド部１６によるブレンド処理の推移を示している。なお、図４のＦでは、デジタル放送の出力レベル（ゲイン）を実線で示し、アナログ放送のゲインを破線で示す。
【００９８】
図４のＡに示すように、デジタル放送の出力中にＳレベル検知部１９により検知されたＳレベルが開始閾値ＴＨａよりも高い場合、音響制御部１７は、図４のＥに示すように、デジタルＦ特をデジタル放送用の例えば、１５ｋＨｚ（以下、デジタル放送用Ｆ特という）に設定する。
【００９９】
そして、デジタル放送の出力中に図４のＡに示すように、時刻ｔａでＳレベルが開始閾値ＴＨａ以下となった場合、音響制御部１７は、時刻ｔａからデジタルＦ特を所定の比率で減衰させることでデジタルＦ特をアナログ放送用の例えば、４ｋＨｚ（以下、アナログ放送用Ｆ特という）へ近づける切替制御を開始する。
【０１００】
この時、音響制御部１７は、デジタルＦ特をデジタル放送用Ｆ特から所定の比率でアナログ放送用Ｆ特まで減衰するように、カットオフ周波数を帯域フィルタに順次設定する。
【０１０１】
その後、同図のＢに示すように、時刻ｔｂよりデジタル放送信号のＣ／Ｎ比が劣化し始め、同図のＣに示すように、推定部２１によって推定されるバッファ継続時間が低下し始める。
【０１０２】
そして、バッファ継続時間が閾値時間ＴＨｃ以下となる時刻ｔｃにおいて、同図のＤに示すように、推定部２１は、デジタル放送からアナログ放送へ放送の切り替えの必要性が高いと予測し、切り替わり予測フラグをデジタル放送からアナログ放送へ反転させる。
【０１０３】
そして、判定部２２は、時刻ｔｃにおいて推定部２１の予測結果に基づいて音響制御部１７による切替制御を継続すると判定する。これにより、同図のＥに示すように、音響制御部１７では、時刻ｔｄまでかけてアナログ放送用Ｆ特まで切り替える切替制御が行われることとなる。
【０１０４】
また、時刻ｔｃにおいて同図のＢに示すように、デジタル放送信号のＣ／Ｎ比は、ブレンド閾値ＴＨｄより低下する。このため、同図のＦに示すように、ブレンド部１６は、デジタル放送のゲインを減衰させ、アナログ放送のゲインを上昇させるブレンド処理を開始する。
【０１０５】
ここで、ブレンド閾値ＴＨｄには、例えば、Ｓレベルが開始閾値ＴＨａより所定レベル低下したときのデジタル放送信号のＣ／Ｎ比の値が設定される。このため、音響制御部１７では、ブレンド部１６によってブレンド処理、すなわち、放送の切り替えが開始するよりも前に切替制御を開始されることとなる。
【０１０６】
なお、同図のＦでは、ブレンド部１６が、Ｃ／Ｎ比がブレンド閾値ＴＨｄより低下した時刻Ｔｃにおいてブレンド処理を開始する場合について示したが、これに限られない。ブレンド部１６は、例えば、音響制御部１７による切替制御が完了する時刻Ｔｄからブレンド処理を開始することにしてもよい。
【０１０７】
かかる場合に、ブレンド部１６によるブレンド処理と、音響制御部１７による切替制御とが並行して実行されないため、制御部１０の処理負荷を低減することができる。
【０１０８】
ここで、同図のＥに示すように音響制御部１７は、例えば、時刻ｔａにおいて放送受信装置１が保有するバッファ分のデジタル放送を用いてデジタルＦ特をアナログ放送用Ｆ特まで切り替える切替制御を行うようにしている。
【０１０９】
このようにすることで、デジタル放送信号のＣ／Ｎ比が急激に悪化して、以降にデジタル放送信号が全くデコードできなくなった場合であっても、音響制御部１７は、デジタルＦ特の切替制御を正常に完了することができる。このため、放送の切り替わるタイミングで音響特性が急激に変化するのを抑止することができる。
【０１１０】
なお、音響制御部１７は、アナログ放送信号のＳレベルが開始閾値ＴＨａ以下となる時刻ｔａにおけるバッファ継続時間に応じてデジタルＦ特を減衰させる比率を変更することにしてもよい。
【０１１１】
一方、同図のＣの時刻ｔｂ以降に一点鎖線で示すように、バッファ継続時間が閾値時間ＴＨｃ以下とならなかった場合、推定部２１は、デジタル放送からアナログ放送への放送の切り替えの必要性が低いと予測する。したがって、かかる場合に、同図のＤに一点鎖線で示すように、推定部２１は、切り替わり予測フラグをデジタル放送のままに保持する。
【０１１２】
そして、判定部２２は、かかる予測を受けて音響制御部１７による切替制御を継続しないと判定する。かかる場合に、判定部２２は、音響制御部１７に切替制御を中断させて、デジタルＦ特を再びデジタル放送用Ｆ特まで回復させるように指示する。
【０１１３】
そして、音響制御部１７は、かかる指示を受けて同図のＥに一点鎖線で示すように、時刻ｔｃからデジタルＦ特を再びデジタル放送用Ｆ特である１５ｋＨｚまで上昇させる。
【０１１４】
このとき、同図のＢに示すように、デジタル放送信号のＣ/Ｎ比は、ブレンド閾値ＴＨｄ以下とならないため、ブレンド部１６によるブレンド処理は行われず、デジタル放送のみが出力されることとなる。
【０１１５】
これにより、音響制御部１７によって不必要にデジタルＦ特を低下させる処理を抑制することができる。換言すると、音響のデジタル率が不必要に低下するのを抑制することができ、良好な音響をユーザに提供することができる。また、この際、判定部２２は、ブレンド部１６に、デジタル放送信号の出力レベルを増幅させるブレンド処理を指示する。
【０１１６】
また、音響制御部１７は、デジタルＦ特をアナログ放送用Ｆ特へ切り替える切替制御を終了すると、アナログ放送信号のＳレベルに基づいてアナログ放送用Ｆ特に設定したデジタルＦ特をデジタル放送用Ｆ特へ徐々に近づける切替制御を行う。
【０１１７】
例えば、音響制御部１７は、Ｓレベルが同図のＡに示す切替閾値ＴＨｂを上回っていた場合に、デジタルＦ特をデジタル放送用Ｆまで上昇させる切替制御を開始し、時刻ｔｇまでかけて切替制御を行う。
【０１１８】
なお、切替閾値ＴＨｂは、統計やシュミレーションにより、推定部２１が推定するバッファ継続時間が所定値以上となるＳレベルの値を設定しておくものとする。なお、同図のＡには、切替閾値ＴＨｂを開始閾値ＴＨａよりも低い値としているが、切替閾値ＴＨｂは、開始閾値ＴＨａと同じ値であっても、開始閾値ＴＨａ以上であってもよい。
【０１１９】
この際、ブレンド部１６は、例えば、音響制御部１７による切替制御が開始された後にデジタル放送のゲインを増幅させて、アナログ放送のゲインを減衰させるブレンド処理を行う（図示略）。
【０１２０】
なお、かかる場合に、ブレンド部１６は、音響制御部１７によってデジタル放送用Ｆ特への切替制御が終了した後に、上記したブレンド処理を行うことにしてもよいし、あるいは、ブレンド部１６は、音響制御部１７による切替制御に先立ってブレンド処理を開始することにしてもよい。
【０１２１】
また、音響制御部１７は、デジタル放送用Ｆ特からアナログ放送用Ｆ特へ切替制御を行う場合、アナログ放送用Ｆ特からデジタル放送用Ｆ特へ切替制御を行う場合よりも長い時間をかけて切替制御を行うようにしている。
【０１２２】
具体的には、音響制御部１７は、同図のＥに示す、デジタル放送用Ｆ特に切り替える時刻ｔｅ〜ｔｇまでの期間を、アナログ放送用Ｆ特に切り替える時刻ｔａ〜ｔｄの期間よりも長くなるようにしている。
【０１２３】
これは、デジタル放送からアナログ放送へ放送を切り替える場合、デジタル放送のバッファ継続時間が減少するため、切替制御にかけられる時間に限りがあるためである。
【０１２４】
また、アナログ放送からデジタル放送へ放送を切り替える場合は、バッファ継続時間が切替制御を行うのに十分な状態で行われるため、切替制御を長い時間かけて行うことができる。
【０１２５】
このようにすることで、音響制御部１７では、アナログ放送用Ｆ特からデジタル放送用Ｆ特へより滑らかに切替制御を行うことができる。これにより、ユーザに与える聴覚上の違和感をより低減することができる。
【０１２６】
なお、上記した例に限られず、音響制御部１７は、アナログ放送用Ｆ特からデジタル放送用Ｆ特へ切替制御を行う場合に、デジタル放送用Ｆ特からアナログ放送用Ｆ特へ切替制御を行う場合と同様の時間で切替制御を行うことにしてもよい。この場合、音響のデジタル率を向上させることができる。
【０１２７】
なお、同図のＥでは、音響制御部１７がデジタルＦ特を時刻に比例する比率で切替制御を行う場合を示したが、これに限定されるものではない。例えば、音響制御部１７は、デジタルＦ特を時刻に対して異なる比率で切替制御を行うことにしてもよい。
【０１２８】
次に、図５を用いて本実施形態に係る放送受信装置１が実行する処理手順について説明する。図５は、放送受信装置１が実行する処理手順を示すフローチャートである。なお、以下に示す処理は、放送受信装置１によって繰り返し実行される。
【０１２９】
図５に示すように、まず、放送受信装置１は、デジタル放送出力中であるか否かの判定を行う（ステップＳ１０１）。そして、放送受信装置１は、デジタル放送を出力中であると判定した場合（ステップＳ１０１，Ｙｅｓ）、アナログ放送信号のＳレベルが開始閾値ＴＨａより高いか否かを判定する（ステップＳ１０２）。
【０１３０】
ここで、放送受信装置１は、Ｓレベルが開始閾値ＴＨａよりも高いと判定した場合（ステップＳ１０２，Ｙｅｓ）、デジタルＦ特をデジタル放送用Ｆ特に設定し（ステップＳ１０３）、処理を終了する。
【０１３１】
一方、放送受信装置１は、Ｓレベルが開始閾値ＴＨａ以下であると判定した場合（ステップＳ１０２，Ｎｏ）、デジタルＦ特をアナログ放送用Ｆ特へ近づける切替制御を開始する（ステップＳ１０４）。その後、Ｓレベルがブレンド閾値ＴＨｄを下回った場合に、放送受信装置１は、デジタル放送の出力レベルを低減し、アナログ放送の出力レベルを増加させるブレンド処理を開始する（ステップＳ１０５）。
【０１３２】
その後、放送受信装置１は、バッファ継続時間が閾値時間ＴＨｃよりも長いか否かを判定する（ステップＳ１０６）。ここで、放送受信装置１は、バッファ継続時間が閾値時間ＴＨｃ以下と判定した場合（ステップＳ１０６，Ｎｏ）、切替制御を継続し（ステップＳ１０７）、処理を終了する。
【０１３３】
また、放送受信装置１は、バッファ継続時間が閾値時間ＴＨｃよりも長いと判定した場合（ステップＳ１０６，Ｙｅｓ）、ブレンド処理を反転する（ステップＳ１０８）。また、放送受信装置１は、デジタルＦ特をデジタル放送用Ｆ特へ回復させて（ステップＳ１０９）、処理を終了する。
【０１３４】
一方、放送受信装置１が、デジタル放送出力中でないと判定した場合（ステップＳ１０１，Ｎｏ）、出力中の放送はアナログ放送となるため、放送受信装置１は、Ｓレベルが切替閾値ＴＨｂよりも高いか否かを判定する（ステップＳ１１０）。
【０１３５】
ここで、放送受信装置１は、Ｓレベルが切替閾値よりも高いと判定した場合（ステップＳ１１０，Ｙｅｓ）、デジタル放送の出力レベルを増幅させ、アナログ放送の出力レベルを減衰させるブレンド処理を行う（ステップＳ１１１）。
【０１３６】
そして、放送受信装置１は、デジタルＦ特をアナログＦ特へ切り替える切替制御を行い（ステップＳ１１２）、処理を終了する。なお、放送受信装置１は、ステップＳ１１１に先立ってステップＳ１１２を行うことにしてもよい。
【０１３７】
一方、放送受信装置１は、Ｓレベルが切替閾値ＴＨｂよりも低い場合（ステップＳ１１０，Ｎｏ）、アナログＦ特を出力して（ステップＳ１１３）処理を終了する。
【０１３８】
上述してきたように、本実施形態に係る放送受信装置１は、受信部１１と、音響制御部１７と、判定部２２とを備える。受信部１１は、放送内容が同一のアナログ放送の信号およびデジタル放送の信号を受信する。音響制御部１７は、デジタル放送からアナログ放送へ切り替える場合、受信部１１によって受信されるアナログ放送の信号の受信強度に基づいてデジタル放送の音響特性をアナログ放送の音響特性へ徐々に近づけて切り替える切替制御を行う。判定部２２は、音響制御部１７によって切替制御が開始された場合に、受信部１１によって受信されたデジタル放送の信号の受信状態に基づいて音響制御部１７による当該切替制御を継続するか否かを判定する。したがって、本実施形態に係る放送受信装置１によれば、音響特性の切替制御の精度を向上させることができる。
【０１３９】
さらなる効果や変形例は、当業者によって容易に導き出すことができる。このため、本発明のより広範な様態は、以上のように表しかつ記述した特定の詳細および代表的な実施形態に限定されるものではない。したがって、添付の特許請求の範囲および、その均等物によって定義される統括的な発明の概念の精神または範囲から逸脱することなく、様々な変化が可能である。
【符号の説明】
【０１４０】
１      放送受信装置
１１      受信部
１２      ＡＤＣ
１３      ＢＰＦ
１４      アナログ復調部
１５      ＬＰＦ
１６      ブレンド部
１７      音響制御部
１８      ＤＡＣ
１９      Ｓレベル検知部
２０      デジタル復調部
２１      推定部
２２      判定部
【図１】
2018064241.tif 000003
【図２】
2018064241.tif 000004
【図３Ａ】
2018064241.tif 000005
【図３Ｂ】
2018064241.tif 000006
【図４】
2018064241.tif 000007
【図５】
2018064241.tif 000008